(57)【要約】【課題】記録媒体上への記録のために、コンテンツデータと、このような記録媒体を再生する再生装置が上記コンテンツデータを介しナビゲートできるようにするための制御データとを有する記録データを提供する装置とその方法を提供する。【解決手段】本装置は、記録データ内のデータ項目に関係するが物理的試験装置により照合されないパラメータの作成を制御することにより記録データのコピー防止を行うコピー防止器を有し、この制御は、ナビゲーションパス上に無い記録データの項目に関係するパラメータが対象のデータ項目と一致しないようにするか、あるいはそうでなければ期待とは異なり対象のデータ項目を読み取るコピー装置に誤りを報告させるようにしてコピー装置によるコピーを禁止するように、行う。【選択図】図１
2010521762.tif 000002
【特許請求の範囲】
【請求項１】
コンテンツデータと、記録媒体を再生する再生装置が前記コンテンツデータを介しナビゲーションパスをナビゲートできるようにするための制御データとを含む、前記記録媒体上に記録される記録データを提供する装置であって、
前記記録データ内のデータ項目に関係するが物理的試験装置により照合されないパラメータの作成を制御することにより前記記録データのコピー防止を行うことができるコピー防止器であって、前記制御は、前記ナビゲーションパス上に無い前記記録データの項目に関係するパラメータが対象のデータ項目と一致しないようにして対象のデータ項目を読み取るコピー装置に誤りを報告させ、前記コピー装置によるコピーを禁止するように行われる、コピー防止器を含む、装置。
【請求項２】
前記コピー防止器は、前記ナビゲーションパス上に無い前記記録データの前記項目に関係する前記パラメータを修正または変造することができる、請求項１に記載の装置。
【請求項３】
前記パラメータは誤り検出符号（ＥＤＣ）である、請求項１に記載の装置。
【請求項４】
前記パラメータは前記データ項目の誤り検出符号であり、前記コピー防止器は前記ナビゲーションパス上のデータ項目の誤り検出符号とは異なる方法で対象のデータ項目の前記誤り検出符号を判断することができる、請求項１に記載の装置。
【請求項５】
前記コピー防止器は、前記ナビゲーションパス上のデータ項目の前記誤り検出符号を判断するために１つの多項式を使用し、かつ、前記ナビゲーションパス上に無い前記データ項目の前記誤り検出符号を判断するために任意に選択された誤った値と、異なる多項式のうちの少なくとも１つを使用することができる、請求項４に記載の装置。
【請求項６】
前記コピー防止器は、前記ナビゲーションパス上に無い前記データ項目の前記誤り検出符号を変造または修正することができる、請求項４に記載の装置。
【請求項７】
前記コピー防止器は、前記記録データがＤＶＤ規格に従うように、コピー防止された記録データを作成することができる、請求項１に記載の装置。
【請求項８】
記録媒体上に前記記録データを記録することができる記録装置をさらに含む、請求項１に記載の装置。
【請求項９】
記録媒体製造部へ供給するために、コピー防止された記録データを提供することができる記録データ出力供給部をさらに含む、請求項１に記載の装置。
【請求項１０】
記録媒体上に記録される記録データにコピー防止を行う工程を含む方法であって、
前記記録データは、コンテンツデータと、記録媒体を再生する再生装置が前記コンテンツデータを介しナビゲーションパスをナビゲートできるようにするための制御データとを含み、
前記コピー防止は、前記記録データ内のデータ項目に関係するが物理的試験装置により照合されないパラメータの作成を制御することにより行われ、
前記制御は、前記ナビゲーションパス上に無い前記記録データの項目に関係するパラメータは対象のデータ項目を読み取るコピー装置により期待されるであろうパラメータとは異なるようにして、対象のデータ項目を読み取る前記コピー装置に誤りを報告させ、前記コピー装置によるコピーを禁止するように行われる方法。
【請求項１１】
前記ナビゲーションパス上に無い前記記録データの前記項目に関係する前記パラメータは修正または変造される、請求項１０に記載の方法。
【請求項１２】
前記パラメータは、誤り検出符号（ＥＤＣ）である、請求項１０に記載の方法。
【請求項１３】
前記パラメータは、前記データ項目の誤り検出符号であり、前記ナビゲーションパス上のデータ項目の誤り検出符号とは異なる方法で判断される、請求項１０に記載の方法。
【請求項１４】
前記コピー防止された記録データは、ＤＶＤ規格に従って作成される、請求項１０に記載の方法。
【請求項１５】
記録媒体上に前記記録データを記録する工程をさらに含む請求項１０に記載の方法。
【請求項１６】
記録媒体製造部に前記コピー防止された記録データを出力する工程をさらに含む請求項１０に記載の方法。
【請求項１７】
記録媒体上に記録されるコピー防止された記録データを含むコピー防止された記録データファイルであって、
前記記録データは、コンテンツデータと、前記記録媒体を再生する再生装置が前記コンテンツデータを介しナビゲーションパスをナビゲートできるようにするための制御データとを含み、
前記記録データは、物理的試験装置により照合されないパラメータに関係する前記記録データの項目を含み、前記ナビゲーションパス上に無いデータ項目に関係する前記パラメータは、対象のデータ項目を読み取るコピー装置に誤りを報告させるために対象のデータ項目に対し期待されるであろう値とは異なる値を有し、前記コピー装置によるコピーを禁止する、記録データファイル。
【請求項１８】
前記パラメータは、誤り検出符号（ＥＤＣ）である、請求項１７に記載のコピー防止された記録データファイル。
【請求項１９】
請求項１７に記載のコピー防止された記録データファイルを含む記録媒体。
【請求項２０】
請求項１０の方法を実行するようにプロセッサーをプログラムするプログラム命令を格納するコンピュータ可読媒体。
【発明の詳細な説明】
【技術分野】
【０００１】
発明の分野
本発明は、コンテンツの不正コピーに備えて、コンテンツを伝送する記録媒体にコピー防止を行うための装置とその方法に関する。ここで言う記録媒体とは、記録媒体により格納されたナビゲーションデータを用いる非順次的な方法でコンテンツデータにアクセスすることができる光ディスク（または光ディスクの前駆体）あるいは他の記録媒体である。本発明はさらに、このようなコピー防止を有する記録媒体と、記録媒体上への記録のためのコピー防止されたデータファイルとに関する。簡略化のために、記録媒体により格納されたナビゲーションデータを用いる非順次的な方法で、コンテンツデータにアクセスすることができる光ディスクまたは他の記録媒体などの記録媒体を、以下では単に、「記録媒体」と呼ぶ。
【背景技術】
【０００２】
発明の背景
デジタル記録技術の出現により、コピー品質の低下がほとんど無い、または全く無い状態で、光ディスク（例えばＤＶＤ）などの記録媒体によって伝送されるデジタルコンテンツのデジタルコピーが可能となった。これにより、不正者がデジタルコンテンツを伝送する記録媒体の不正コピーを作成することが容易となった。従ってコピー防止技術が開発された。最近のコピー防止技術は、良好な再生能力を維持しながらコピーを無効化にするために、合法の再生装置と、不正コピー装置すなわち「リッパー（ripper）」とが記録媒体にアクセスするであろう方法の差異を利用する。
【０００３】
合法のＤＶＤ再生装置は、ＤＶＤにより伝送されるナビゲーションコマンドと制御データとにより定義されるＤＶＤ上のナビゲーションパス(navigation path)に従うが、一方、大抵の不正コピー装置すなわちリッパーは、ＤＶＤのコンテンツにファイル毎またはセクタ毎にアクセスする。ファイル毎またはセクタ毎の不正コピー装置による良質または再生可能なコピーの作成を妨げる１つの方法は、ＤＶＤのナビゲーションパスの一部を形成しないセクタ内に破壊的（subversive）データ（コピー処理、コピー品質、コピーの再生能力のうちの少なくとも１つに悪影響を与えるデータ）を含めることである。このような破壊的セクタはナビゲーションパスの一部を形成しないので、合法の再生装置には無視されることになる。しかし、ＤＶＤをコピーしようとするファイル毎またはセクタ毎の不正コピー装置は、破壊的セクタに遭遇することになり、結果として誤りを報告しＤＶＤを読み出すことができないであろう。
【０００４】
破壊的すなわち読み取り不能セクタを作成するための最近の技術としては、デジタルサム値（ＤＳＶ：digital sum value）を修正または変造する、内または外パリティ符号を変造する、あるいはそうでなければそのセクタのＥＦＭ＋（eight to fourteen modulation plus）データストリームを変造する技術が挙げられる。しかしながら、物理的試験装置はコピー禁止セクタに遭遇すると、内または外パリティエラー、ジッター、タイミングエラー、放射雑音、低反射率などを検知する場合があるので、上記技術は合法のコピー防止されたＤＶＤを試験する物理的試験装置に、コピー防止されたＤＶＤは不出来である、という報告をさせる可能性がある。したがって、このようなコピー防止されたＤＶＤの物理的な試験を行うには、このようなコピー防止されたＤＶＤが完全または十分な試験報告を受信できるようにするために物理的試験装置により使用されるソフトウェアを修正する必要がある。例えば、物理的試験装置がそれぞれの特定の異なるタイプのコピー防止を扱えるようにする「プラグイン」を特別に開発する必要があるだろう。
【発明の概要】
【課題を解決するための手段】
【０００５】
発明の概要
一態様において、本発明は、記録媒体上へ記録するためにコンテンツデータと、このような記録媒体を再生する再生装置がこのコンテンツデータを介してナビゲートできるようにする制御データとを有する記録データを提供する装置を提供する。記録データ内のデータ項目に関係するが物理的試験装置により照合されないパラメータの作成は、ナビゲーションパス上に無い記録データの項目に関係するパラメータが対象のデータ項目と一致しないようにされるか、あるいは、そうでなければ期待とは異なり破壊的データを作成することにより対象のデータ項目を読み取るファイル毎またはセクタ毎のリッパーなどのコピー装置に誤りを報告させ、これによりコピー装置によるコピーを禁止するように、制御される。破壊的データを組み込むこの方法は、物理的試験装置により試験することができるコピー防止された記録媒体を作成できるようにする。ここでは、コピー防止の方法を意識しなければならない、あるいはこのタイプのコピー防止を有する記録媒体用に特別に設計された特定ソフトウェア（「プラグイン」ソフトウェアなど）を使用しなければならない物理的試験装置は必要としない。合法の再生装置は当然ながら破壊的データを読み出さないので（これはナビゲーションパスの一部ではないので）この不一致により影響されることはない。
【０００６】
本発明はまた、このような記録データを提供する方法、記録データ自体、およびこの記録データを伝送するＤＶＤなどの記録媒体を提供する。
【０００７】
一実施態様では、ＤＶＤなどの光ディスク上に記録されるコピー防止されたデータファイルを提供する。このデータファイルにおいて、物理的試験装置により照合されない記録データ内のデータのセクタまたはファイルに関係するパラメータのうち、ＤＶＤのナビゲーションパス（または複数のナビゲーションパス）上に無いセクタまたはファイルに関係する少なくとも１つのパラメータは、そのセクタまたはファイルのデータと一致せず、したがって一致しないパラメータを有するセクタまたはファイルを読み取るコピー装置（ファイル毎またはセクタ毎のリッパーなど）に誤りを報告させ、これにより依然としてＤＶＤの物理的試験を可能にする一方で、コピーを禁止させる破壊的データを構成する。
【０００８】
このパラメータは、修正または変造により整合性の無いものにすることができる。このパラメータは、コピー装置または合法の再生装置により期待されたものと異なる手順を使用してパラメータを作成することにより（例えば、ＤＶＤ上に記録される記録データの場合には、適切なＤＶＤ規格に記載された手順に基づかない手順を使用することによってこのパラメータを作成することにより）整合性の無いものにすることができる。
【０００９】
記録媒体は、ＤＶＤなどの光ディスク、あるいはデジタルリニアテープ、ガラスマスターまたはスタンピングマスタなどの前駆体であってよいし、あるいはコンテンツデータに、記録媒体により格納されたナビゲーションデータを用いる非順次的な方法でアクセスすることができる他の形態の記録媒体であってもよい。
【００１０】
次に一例として本発明のいくつかの実施形態について添付図面を参照し説明する。
【図面の簡単な説明】
【００１１】
図面の簡単な説明
【図１】ＤＶＤなどのコピー防止された記録光ディスクを作成するためのコピー防止装置を含む記録媒体作成装置の機能ブロック線図を示す。
【図２】図１に示すコピー防止装置を提供するようにプログラムすることができる計算装置の機能ブロック線図を示す。
【図３】図２に示す機能を有する計算装置の一例を示す。
【図４】ＤＶＤビデオ領域の一例のナビゲーションおよびプレゼンテーションデータ構造を説明するための線図を示す。
【図５】ＤＶＤビデオ領域に対応するＤＶＤデータファイルの物理データ構造を説明するための線図を示す。
【図６】図１に示すコピー防止装置の動作を説明するためのフローチャートを示す。
【図７】記録動作を説明するためのフローチャートを示す。
【図８】記録動作を説明するための線図を示す。
【発明を実施するための形態】
【００１２】
実施形態の詳細な説明
図１を参照すると、作成装置１は、記録媒体上へ記録するために特定の記録媒体形式に従って、コピー防止されたデータを作成することができるコピー防止装置２を有する。この例では、記録媒体形式は光ディスク形式、特にはデジタル多目的ビデオディスク（ＤＶＤ−Ｖｉｄｅｏ、本明細書ではＤＶＤと略記する）形式であり、記録媒体はＤＶＤである。
【００１３】
作成装置１は、記録媒体上へ記録するために、コピー防止されたデータを出力することができる出力データ供給部１１を有する。作成装置１は、書き込み可能または書き換え可能ＤＶＤディスク、すなわちディスク３ａ上に直接、コピー防止された出力データを記録する、出力データ供給部１１に接続された記録媒体ライター（この例ではＤＶＤライター３）を有することができる。代替として、またはそれに加えて、出力データ供給部１１は、記録媒体（この場合はＤＶＤ）を大規模に作成する周知の方法で操作可能な記録媒体製造部４（作成装置の一部であってもよいし、あるいはそれから切り離されてもよく、また作成装置から物理的に遠くてもよい）にコピー防止されたデータを供給するように配置されてよい。この場合、作成装置はＤＶＤ製造部４へ供給するために、データファイル、例えばデジタルリニアテープ（ＤＬＴ）ファイルを供給する。ＤＶＤ製造部４は通常、ガラスマスターをカットするガラスマスター作成部４ａ、ガラスマスタースタンピングからスタンピングマスタを作成するスタンピングマスタ作成部４ｂ、およびスタンピングマスタから最終のＤＶＤディスク４ｄを作成するディスク作成部４ｃを有する。
【００１４】
以下に説明されるように、コピー防止装置２は、記録済みＤＶＤのナビゲーションパスの一部を形成しないデータ項目（ＤＶＤの場合は、１つまたは複数のセクタ）に関し、物理的試験装置により照合されない関連パラメータの作成を、このパラメータが対象のデータ項目と一致しないように、あるいはそうでなければ期待とは異なる（例えば、修正または変造される）ように制御することによってコピー防止を組み込むことができる。この結果、ファイル毎またはセクタ毎のリッパーなどの不正コピー装置が、そのセクタを読み出す際、不正コピー装置は誤りを報告することになり、コピーが禁止される。こうして、不正コピーを妨げなければならないが物理的試験装置によって試験することができるコピー防止された記録媒体を作成することができるようになる。ここでは、コピー防止の方法を意識しなければならない、あるいはこのタイプのコピー防止を有する記録媒体用に特別に設計された特定ソフトウェア（「プラグイン」ソフトウェアなど）を使用しなければならない物理的試験装置は必要としない。このようにして、整合性の無いパラメータは、記録済みＤＶＤのナビゲーションパス上に無いセクタに関係するので合法の再生装置に影響を及ぼさない破壊的データを提供する。
【００１５】
図１に示すコピー防止装置２は、オーサリングされたユーザデータファイルから、コピー防止された出力データファイルを作成することができる。オーサリングされたユーザデータファイルは、通常、オーサリング部１５（オーサリングプログラムまたは装置）により作成される。オーサリング部１５は、ユーザ管理の下で、オーサリング部１５のユーザによってアセンブルされた資源（すなわちビデオデータファイルと任意の付加的な音声、グラフィック、および他のデータファイルを含むコンテンツまたはユーザデータを構成するデータファイル）を多重化し、オーサリング部１５のユーザにより要求された方法で再生装置が記録済み媒体のコンテンツをナビゲートできるようにするナビゲーションおよび制御情報（適切な記録媒体規格に従う）を追加し、オーサリングされたユーザデータファイルを書き出す。オーサリング部１５は、通常、ユーザがその作業結果を精査して照合できるように、結果物としての記録済み媒体をシミュレートすることができる。図１に示すように、オーサリング部１５はコピー防止装置２に付随しても、あるいはそれに組み込まれてもよい。別の可能性として、オーサリング部１５は、コピー防止装置から離れた別個の装置により提供されてもよい。
【００１６】
コピー防止装置２は、オーサリングされたユーザデータファイルからデータのフレームを生成することができるデータフレーム生成器５と、デジタルサム値（ＤＳＶ）を正しく制御する符号器の能力に影響を及ぼし得る長期反復データを回避するためにユーザデータを拡散するビットシフト処理を利用することにより、オーサリングされたユーザデータをスクランブルすることができるユーザデータスクランブラ６と、誤り訂正をさらに容易にする符号を生成する誤り訂正符号ブロック生成器７と、誤り訂正符号ブロック生成器７により生成された誤り訂正符号ブロックから記録フレームまたはセクタを生成する記録フレーム生成器８と、記録フレームの記録符号を作成する記録符号変換器９と、記録符号をＮＲＺＩ形式に変換するＮＲＺＩ（non-return to zero inverted）変換器１０と、受信したオーサリングされたユーザデータファイルから生じるＮＲＺＩ形式データを、ローカルのＤＶＤライター３および／またはＤＶＤ製造部４へ供給することができる出力データ供給部１１と、を有する。代替案として、ＮＲＺＩ変換器１０は、ＤＶＤライター３および／またはＤＶＤ製造部４により提供される機能の一部であってもよい。その場合、出力データ供給部１１が記録符号を出力することになる。
【００１７】
コピー防止装置２は、コピー防止装置２の全体的な動作を制御するコントローラ１２と、ユーザに情報を提供し、ユーザから命令を受信することができるユーザインターフェース１３とを有する。
【００１８】
データフレーム生成器５は、オーサリング部１５からオーサリングされたユーザデータファイルを受信することができるユーザデータ受信部１６と、４バイトのセクタ識別子（ＩＤ）を提供することができるデータ識別データ供給部１７と、２バイトの誤りデータ（ＩＥＤ）を生成することができるＩＤ誤りデータ生成器１８と、ユーザインターフェース１３を介したユーザ入力、および／またはオーサリングされたユーザデータファイルに含まれるデータに基づいて著作権管理データ（ＣＰＲ＿ＭＡＩ）を提供することができる著作権管理データ供給部１９と、セクタまたはフレーム用誤り検出符号（ＥＤＣ）を生成することができる誤り検出符号生成器２０と、データフレームまたはセクタ（図８のＴ２に示すように、それぞれがデータＩＤ、ＩＤ誤りデータＩＥＤ、著作権管理データＣＰＲ＿ＭＡＩ、２０４８バイトのユーザデータ、および誤り検出符号ＥＤＣを有する）を生成するデータフレーム生成器５の全体的な動作を制御することができるデータフレーム生成器コントローラ２１と、を有する。データフレーム生成器５は、データフレームまたはセクタを列状（ＤＶＤビデオ標準規格の場合１７２バイト×１２行）に配置することができる。
【００１９】
誤り訂正符号（ＥＣＣ）ブロック生成器７は、所定数（ＤＶＤビデオ規格の場合は１６）のフレームを受信するように、かつ、これらフレームの行をそれぞれが１７２バイト×１９２行を有する（ＤＶＤビデオ規格の場合）誤り訂正符号ブロックにインターリーブする（バースト誤りを禁止するためにそれらをバラバラに拡散する）ことができるフレーム受信部２５を有する。
【００２０】
誤り訂正符号（ＥＣＣ）ブロック生成器７は、ブロックの各行毎に、１０バイトの内パリティのリードソロモン符号を計算してその行の右端にそれを追加することができる内パリティ符号供給部２６を有する。誤り訂正符号（ＥＣＣ）ブロック生成器７はまた、外パリティリードソロモン符号を計算することができる外パリティ符号供給部２７を有する。ＤＶＤ規格の場合、これは、誤り訂正符号ブロックの行の配列（内パリティ符号を含む）に新しい１６行を追加する１６バイト符号である（合計の行数は２０８まで取る）。
【００２１】
記録フレーム生成器８は、ＥＣＣ生成器７により供給されるＥＣＣブロックを、それぞれが所定数（ＤＶＤ規格の場合は１２）の行のデータと１行の外パリティ符号からなる記録セクタまたはフレームに分解することができる。
【００２２】
記録符号変換器９は、累積デジタルサム値（ＤＳＶ）の絶対値を最小化する記録符号を決定することができる符号判定部２８を有する。符号判定部２８は、符号テーブル２９ａ（ＥＦＭプラス変調）により記録フレームの各８ビットバイトを１６ビットバイトで置換することができる符号選択器２８ａと、各記録行を２等分するとともに、記録行の各半分に１６ビットバイト符号を有する同期符号テーブル２９ｂから選択された同期符号を与えることができる同期符号加算器２８ｂとを有する。ＤＶＤ規格の場合、同期符号は、「２つの「１」の間に２〜１０の「０」が存在し、かつ累積デジタルサム値（ＤＳＶ）の絶対値を最小化するものとする」ランレングス制限(run length limitation)により選択される。ＥＦＭプラス変調については、例えば"EFMPlus: The coding format of the multimedia compact disc" by Kees A. Schouhamer Immink published in IEEE transactions on Consumer Electronics, Volume CE-41, pages 491 to 497, August 1995に記載されている。
【００２３】
ＮＲＺＩ（non-return to zero inverted）変換器１０は、１６ビット符号ワードまたはバイトを、遷移が「１」により表され、遷移無しが「０」で表されるチャネルビットに変換することができる。
【００２４】
ここまで説明したように、コピー防止装置は、記録されるチャネルビットを作成するためにＤＶＤビデオ規格に従って処理を実行することができる。しかしながら、上記機能に加え、データフレーム生成器５はまた、セクタの誤り検出符号ＥＤＣ（破壊的セクタまたはデータとなる）を修正することができる誤り検出符号修正器２２を有する。
【００２５】
図２は、図１に示す作成装置１、または少なくとも図１に示すコピー防止装置２を提供する、プログラム命令によりプログラムすることができる計算装置３００の機能ブロック線図を示す。
【００２６】
計算装置３００は、着脱可能媒体ＲＭ３３を受容する着脱可能媒体駆動装置３２（この場合、ＤＶＤを受容するＤＶＤ駆動装置、および／またはＤＬＴ駆動装置）を含む記憶装置に１つまたは複数のバス３７により接続された処理ユニット３０と、読み取り専用メモリ（ＲＯＭ）３４、ランダムアクセスメモリ（ＲＡＭ）３５、そしてハードディスク駆動装置などの大容量記憶装置３６を含む。
【００２７】
バス３７は、また、処理ユニット３０を、図１のユーザインターフェース１３を形成し得る多くの周辺入出力装置（この場合はキーボード３９、ポインティング装置４０とディスプレイ４１）に接続する。周辺装置はまた、ネットワーク通信を提供する通信装置４３と随意的にプリンター４２とを含むことができる。通信装置４３は、インターネット、イントラネット、ローカルエリアネットワーク、広域ネットワーク、または他の任意の好適な形態のネットワークの任意の１つまたは複数のネットワーク上で計算装置３００が通信できるようにするもの、例えばＭＯＤＥＭ、ネットワークカードなどであってよい。
【００２８】
当然ながら、記憶装置と入出力装置は、図２に示すものすべてを含まなくてもよいし、および／または追加装置を含んでよいことは理解されるであろう。例えば、さらにフロッピー（登録商標）ディスク駆動装置などの１つまたは複数の着脱可能媒体駆動装置が設けられてもよく、また、マイクロホンや拡声器などの他の入出力装置が設けられてもよい。
【００２９】
図３に線図で示すように、本計算装置は、処理ユニット３０および記憶装置３１を含むメインプロセッサユニット５０と、図示するように、キーボード３９、ポインティング装置４０を形成するマウス、およびディスプレイ４１の形態のユーザインターフェース装置とを有するパーソナルコンピュータまたはサーバ３００ａであってよい。図３は、着脱可能媒体駆動装置３２の挿入スロット３２ａから取り出される着脱可能媒体３３（ＤＶＤまたはＤＬＴなど）を示す。
【００３０】
計算装置３００または３００ａは、以下の手順：ＲＯＭ３４および／または大容量記憶装置３６にあらかじめ格納される；キーボード３９および／またはポインティング装置４０などの入力装置を使用するユーザにより入力される；着脱可能媒体駆動装置３２により受容された媒体３３からダウンロードされる；通信装置４３を介し信号Ｓとして供給される、のうちの任意の１つまたは複数により供給されるプログラム命令によりプログラムすることができる。
【００３１】
当然ながら、装置が異なる物理的構成要素を有する場合、これらは対応するそれぞれの計算装置のプログラミングにより提供することができる。
【００３２】
図１に示すブロックは、本装置により提供される機能を示すのであって、この機能が別の物理的構成要素またはモジュールにより実施されるということを必ずしも意味しないということを理解されたい。なお、機能は、任意の適切な方法、例えばソフトウェア、ファームウェア、ハードウェア、またはこれらの任意の適切な組合せで実施されてもよい。
【００３３】
図１に示す装置１がどのように機能するかの理解を容易にするために、ＤＶＤの構成を最初に検討する必要がある。
【００３４】
ＤＶＤは、インターリーブされた複数のエレメンタリストリームとＤＶＤビデオ領域内の構造化された、および階層的方法で整理されたコンテンツの複数の個別要素とを含む複雑でかつ非線形な構造を有する。ＤＶＤ上に格納されたデジタルプレゼンテーションデータおよびそれを介してのナビゲーションは、ＤＶＤビデオ領域の物理データ構造内の異なるレベルに存在してよいナビゲーションデータにより制御される。したがって、ＤＶＤビデオ領域のプレゼンテーションデータは、ＤＶＤ上のデータの記録の初めから終わりまで単に順次的な方法で記録データにアクセスする再生装置では再生することができない。むしろ、再生装置によりコンテンツを介し取られたナビゲーションパス（または複数のナビゲーションパス）は、再生装置のナビゲーター、ＤＶＤのオーサリング方法、およびユーザとのやりとりに依存する。
【００３５】
ＤＶＤは、物理データ構造と、物理データ構造の上にある論理階層形式の論理データ構造とを含む。物理データ構造は、データ（順次的かつ物理的に隣接した、または順次的な方法でＤＶＤ上に格納されたデータ）がＤＶＤ上でＤＶＤ規格に従って整理される方法を決定する。論理データ構造は、ビデオシーケンスのグループ分けと１シーケンスのビデオブロックの再生順序とを決定する。ディスク上に記録されるデータは物理セクタ内で整理される。各物理セクタは、同期ブロック、ヘッダ、データパック、および誤り検出符号からなる。図１の上記考察で述べたように、チャネル符号化規則を満たすことを保証し、かつディスクに対する欠陥の影響を最小化するために、これらセクタのデータに誤り訂正パリティ符号が追加され、これらデータはＤＶＤ形式のＥＦＭ＋（8 to 16 modulation）チャネル符号化方式に従うチャネル符号化の前に１６のセクタ（ＥＣＣブロック）のブロックにインターリーブされる。チャンネル符号化データは、ピットとランド形式でＤＶＤ上に格納される。データを記録する際、ＤＶＤ再生装置がその後ディスクの各セクタを捜し出してアクセスすることができるようにＩＳＯ／ＵＤＦファイルシステム情報（ＩＳＯ９６６０／ＵＤＦ（ユニバーサルディスク形式）に従う）がディスク上に記録される。単一層ＤＶＤ上に記録された最終データは、リードイン部、次にプログラムデータ部、そして次にリードアウト部からなる。
【００３６】
具体的な例として、図４にＤＶＤのプレゼンテーションおよびナビゲーションデータ構造を説明するための線図を示し、図５にＤＶＤビデオ領域の構造を例示するための線図を示す。
【００３７】
図４に示すように、ナビゲーションデータ構造は、ディスクがＤＶＤ再生装置に最初に挿入されると実行される最初の再生プログラムチェイン（ＰＧＣ： program chain）１００、ビデオマネージャ（ＶＭＧ）、１０１およびビデオタイトルセット（ＶＴＳ）を含む。
【００３８】
ビデオマネージャ１０１は、ＤＶＤビデオ領域全体の制御情報を提供する。図４に示す例では、ビデオマネージャ１０１は、図示するように、メインメニュー１０５に対応するタイトルメニュープログラムチェイン１０４を有する。しかしながら、ＤＶＤビデオ領域は必ずしもタイトルメニューを有する必要はない。
【００３９】
ビデオタイトルセットの数は、特定のＤＶＤ構造に依存する。図４には、２つのビデオタイトルセット、すなわち著作権警告等の導入データの第１のビデオタイトルセットＶＴＳ１  １０２と、ＤＶＤのメインコンテンツ（映画、ミュージックビデオなどであってよい）のビデオタイトルセットＶＴＳ２  １０３とを示す。
【００４０】
各ビデオタイトルセットは、通常、言語フォルダと１つまたは複数のタイトルフォルダを有する。言語フォルダは、言語、カット縦横比（ワイドスクリーンか否か）などの様々な選択肢をユーザが選択できるようにするために、ユーザに対し表示されるメニューを提供するための１つまたは複数のメニュープログラムチェイン（ＰＧＣ）に関係する。タイトルフォルダは、少なくとも１つのタイトルプログラムチェイン（タイトルは２１５個までのプログラムチェインを含むことができる）に関係する。簡略化のために、図４にはタイトルフォルダのみを示す。図示の例では、第１のビデオタイトルセットＶＴＳｌ  １０２は、著作権警告のための単一のタイトルフォルダ１０６（タイトル１（ＴＴＮ１））を有し、ビデオタイトルセットＶＴＳ２  １０３は、単一のタイトルフォルダ１０７（タイトル１（ＴＴＮ２））を有する。
【００４１】
タイトルフォルダ１０６と１０７はそれぞれ少なくとも１つのプログラムチェイン（ＰＧＣ）を有する。ビデオタイトルセットの第１のプログラムチェインはエントリープログラムチェイン（ｅｎｔｒｙ  ＰＧＣ）として知られている。図４に示すように、各タイトルフォルダは、単一のプログラムチェイン１１０、１１１を有する。したがって、プログラムチェイン１１０、１１１は、エントリーＰＧＣを形成する。
【００４２】
各プログラムチェインは、プログラムチェインの構成部品へのアクセスを制御するナビゲーションデータを含むプログラムチェイン情報（ＰＧＣＩ）を含み、０〜９９個のプログラム（ＰＧ）を含む。プログラムチェインはプログラムを含まずＰＧＣＩのみを含んでもよい。このようなプログラムチェインはダミープログラムチェインとして知られている。例えば、第１の再生プログラムチェインはダミープログラムチェインである。プログラムチェインは、プログラムチェインが再生装置によりアクセスされる順序を定義するプリコマンドとポストコマンドを有する。図４に示す例では、第１の再生プログラムチェインＰＧＣ１００のプリコマンド２４０は、再生装置をタイトル１（ＴＴＮ１）のタイトルフォルダ１０６にジャンプさせ、次に、第１のビデオタイトルセット１０２のエントリープログラムチェイン１１０の著作権警告を再生させる。エントリープログラムチェイン１１０は、再生装置をビデオマネージャのタイトルメニューエントリープログラムチェイン１０４にジャンプさせ、かつ、この例では再生ボタン２４３と他のメニューオプション２４４を有するメインメニューを表示させるためのポストコマンド２４２を有する。リンクテールＰＧＣコマンド２４５は、再生装置のユーザによる再生ボタン２４３の選択に応答して、再生装置にメインメニューから出てタイトルメニューエントリープログラムチェイン１０４のポストコマンド２４６を実行させタイトルＶＴＳ２（この例ではメインタイトルを構成する）を再生させるために提供される。メインタイトルのエントリープログラムチェイン１１０は、再生装置にタイトルを再生させた後にメインメニューに戻らせるためのポストコマンド２４９を有する。したがって、ＤＶＤを介したナビゲーションパス（または複数のナビゲーションパス）は、プリコマンドとポストコマンドにより少なくとも部分的に定義される。
【００４３】
具体例として、図４には、単一のプログラム（ＰＧ１）１１３を有するものとしてプログラムチェイン１１０と、ｎ個のプログラム（ＰＧ１〜ＰＧｎ）１１４１〜１１４ｎを有するものとしてプログラムチェイン１１１とを示す。
【００４４】
各プログラムは、論理セルまたはプレゼンテーションデータ構造の対応する物理セル（または複数の物理セル）にマッピングされる論理セルシーケンスを有する。図４の例では、プログラム１１３、１１４１〜１１４ｎは、それぞれ単一の論理セル１１３ａ、１１４ａ１〜１１４ａｎを有する。図示の例では、論理セル１１３ａは単一の物理セル１１３ｂにマッピングされる。論理セル１１４ａ１〜１１４ａｎは、一組の物理セルＣｅｌｌ１／１〜Ｃｅｌｌ１／ｍへマッピングされる。図示の例では、各論理セルは対応する物理セルにマッピングされる（すなわちｍ＝ｎ）が、必ずしもそうである必要はない。データはまた、図４におけるセルｘ  １００４（いかなる論理セルによっても指示されない）などの少なくとも１つの物理セルを含む。
【００４５】
当然ながら、図４は単なる一例であること、そして異なる構成が可能であることは理解される。
【００４６】
図４は非常に簡単な例であること、ＤＶＤはより多くのビデオタイトルセットを含んでもよいこと、そしてビデオタイトルセットは図４に示すものよりさらに多くのタイトル、プログラムチェイン、プログラム、セルを含んでもよいことは当然理解される。また、論理セルと物理セル間のマッピングは１対１である必要はなく、物理セルは論理セルとは異なるやり方で順序付けられてもよい。
【００４７】
図５にＤＶＤボリュームのレイアウト２００を示す。ＤＶＤボリュームレイアウトは、リードイン２０１、それに続いてＩＳＯ／ＵＤＦファイルシステム情報２０２、ＤＶＤビデオ領域２０３、可能性として１つまたは複数の他の領域２０４、そして最後にリードアウト２０５を有する。ＤＶＤビデオ領域は、ＶＩＤＥＯ＿ＴＳ．ＩＦＯとして特定される単一のファイル内のＤＶＤビデオ領域全体のナビゲーションデータを含むビデオマネージャ情報（ＶＭＧＩ）２０７と、ＶＩＤＥＯ＿ＴＳ．ＶＯＢとして特定される単一のファイルとして提供されるビデオマネージャ・メニュービデオオブジェクトセット（ＶＭＧ  ＭＥＮＵ  ＶＯＢＳ）２０８と、単一のファイルＶＩＤＥＯ＿ＴＳ．ＢＵＰ内のビデオマネージャ情報（ＶＭＧＩ  ＢＵＰ）２０９のバックアップファイルとからなるビデオマネージャ（ＶＭＧ）２０６と、を有する。ビデオマネージャ・メニュービデオオブジェクトセット２０８は、通常、タイトルメニューのプレゼンテーションデータと他の任意の非ダミーメニュープログラムチェインを含む。
【００４８】
図５には、２つのビデオタイトルセット、すなわちＶＴＳ１  ２１０とＶＴＳ２  ２１１を示す。各ビデオタイトルセット（ＶＴＳ）は、単一のファイルＶＴＳ＿＃＃＿０．ＩＦＯ（ここで＃＃は、ビデオタイトルセット番号を表す０１〜９９の２桁の数字を表す）内のビデオタイトル内のタイトルとメニューの提示を制御するためのナビゲーションデータを含むビデオタイトルセット情報（ＶＴＳＩ）２１２、２１３と、単一のファイルＶＴＳ＿＃＃＿０．ＶＯＢ（ビデオタイトルセット内にはメニューは無くてもよいのでＶＴＳ  ＭＥＮＵ  ＶＯＢＳは無い）内のビデオタイトルセットのすべてのタイプのメニューのコンテンツを通常は含む任意のビデオタイトルセットメニュービデオオブジェクト（ＶＴＳ  ＭＥＮＵ  ＶＯＢＳ）２１４、２１５のメニュービデオオブジェクトセットと、ＶＴＳ＿＃＃＿＠．ＶＯＢ（ここで＠は１〜９の１桁の数字である）として特定される１つまたは複数のファイル内のビデオタイトルセットのビデオタイトルオブジェクトセット（ＶＴＳＴＴ  ＶＯＢＳ）２１６、２１７と、ＶＴＳ＿＃＃＿０．ＢＵＰとして特定される単一のファイル内のビデオタイトルセット情報（ＶＴＳＩ  ＢＵＰ）２１８、２１９のバックアップとからなる。
【００４９】
図５に示すように、ビデオタイトルセットは次々に配置され、ビデオタイトルセット（ＶＴＳ）毎に、ビデオタイトルセット情報（ＶＴＳＩ）に続いて任意のメニュービデオオブジェクトセット（ＶＴＳＩメニューＶＯＢＳ）、次にビデオタイトルのビデオタイトルオブジェクトセット（ＶＴＳＴＴ  ＶＯＢＳ）、そして最後にビデオタイトルセット情報（ＶＴＳＩ  ＢＵＰ）のバックアップが続く。
【００５０】
各ビデオオブジェクトセット（ＶＯＢＳ）は物理セルシーケンスからなる。図の明確性のために、図５には、ビデオタイトルセット２（ＶＴＳ２）２１１のビデオタイトルオブジェクトセット２１７の物理セルセット（ＣＥＬＬ１／１〜ＣＥＬＬ１／ｎ）の一部のみを示す。各物理セルは、それぞれが約０．４〜１秒の再生時間（すなわち、多くの連続するフレーム）を表す１つまたは複数のビデオオブジェクトユニット（ＶＯＢＵ）からなる。図５では簡略化のために、１つのみの物理セル２３０と、物理セル２３０の１つのビデオオブジェクトユニット（ＶＯＢＵ）２３１の構造が示される。
【００５１】
図５に示すように、各ビデオオブジェクトユニットは、ナビゲーションパック（ＮＶ＿ＰＣＫ）２３２と、それに続く整数の数のビデオ（Ｖ）、音声（Ａ）、そして副映像（Ｓ）パック２３３、２３４、２３５とからなる。ＤＶＤ上では、各パックはディスク（２０４８バイト）上の１セクタのユーザデータを占める。各ビデオパック２３３は、パックを特定するパックヘッダ２３６と、それに続くパック内のパケットを特定するパケットヘッダ２３７、そしてＤＶＤ形式（すなわちＭＰＥＧ２形式）に従うビデオデータ２３８とからなる。同様に、各オーディオパックは、パックを特定するパックヘッダ２３９と、それに続くパック内のパケットを特定するパケットヘッダ２４０、そしてＤＶＤの任意の適切な形式（例えばＭＰＥＧ、ＤＴＳ、ＤＤ、ＬＰＣＭ、ＡＣ３）であってよいオーディオデータ２４１とからなる。
【００５２】
各ナビゲーションパック（ＮＶ＿ＰＣＫ）２３２は、パックを特定するパックヘッダ２４２と、それに続くシステムヘッダ２４３、そして２つのナビゲーションデータパケット２４４、２４５とからなる。２つのパケットのうち第１のパケット２４４は、リアルタイムでコントロールメニュー表示とプログラム提示を制御するためのプレゼンテーションコントロール情報（ＰＣＩ）を含み、第２のパケット２４５は前方走査／反転走査とシームレスブランチングを制御するためのデータ検索情報（ＤＳＩ）を含む。ＤＶＤ再生装置は、可変速度で、かつシームレスな再生を可能にするトラックバッファを含む。したがって、読み取りヘッドによる読み取りと、音声およびビデオデータの復号化および再生とに遅延時間が存在する。したがって、リアルタイムコントロール情報は、ＰＣＩおよびＤＳＩパケット間に分散されて格納され、再生装置は対応する物理セルがトラックバッファを通過する前と後にこの情報を照合して利用する。したがって、ナビゲーションパック２３２は、再生モード、トリック再生モード、および検索動作が正常かつタイムリーに実行されることを保証するために、ＤＶＤ再生装置のナビゲーションエンジンまたはナビゲーターにより用いられる。
【００５３】
したがって、ＤＶＤビデオ領域がアクセスとインタラクティブな再生を制御するナビゲーションデータを含むということ、そしてナビゲーションデータはＤＶＤビデオ領域内の異なるレベルに存在することは上記から理解されるであろう。ナビゲーションデータは、制御コマンド（例えば、形式、言語、音声選択、副映像選択、ペアレンタル管理、表示モード、および表示様式用のもの）と、ナビゲーションコマンド（例えば、全体システムパラメータ、システムパラメータ、ナビゲーションタイマ、およびメニューボタン用のもの）と、検索およびユーザインターフェースコマンド（例えば、特定メニューの選択を可能にするＰＧＣＩ検索用、またはタイトル、タイトルの一部などの選択を可能にするプレゼンテーションデータ検索用のもの）と、を含む。
【００５４】
プログラムチェインでは、プログラムチェイン情報（ＰＧＣＩ）は、例えば、チェイン内のプログラムの数、禁止されたユーザ操作、プログラムチェイン間のリンク、再生モード、プログラムチェインの任意のプログラムにアクセスする前に実行されるプリコマンド、セルコマンド、およびプログラムチェインのプログラムにアクセスした後に実行されるポストコマンドなどのナビゲーションデータを含む。
【００５５】
図４と図５についての上記説明は、ＤＶＤ形式の単純化した概要であり、ＤＶＤ形式と記録処理のさらに詳細な説明についてはＤＶＤ規格を参照すべきである。
【００５６】
図１に示すコピー防止装置２がコピー防止されたデータを作成するために動作する方法と、その後のＤＶＤ上のコピー防止されたデータの記録とについて、図６〜９を用いて説明する。
【００５７】
ユーザが図１に示す作成装置１（オーサリング部１５はこの装置の一部である）にＤＶＤビデオ領域を作成するように命じると、コントローラ１２は、通常、オーサリング部１５に対して必要な資源を提供するようにユーザインターフェース１３を介しユーザに入力指示する。次に、オーサリング部１５は、ユーザが望むやり方で、ユーザ定義のチャプタおよびメニューとコンテンツデータを介したユーザ定義のナビゲーションパス（または複数のナビゲーションパス）とにより資源をアセンブルし、ユーザが選択して整理した資源を多重化し、ユーザの命令に従ってナビゲーションおよび制御データを追加し、画像ファイル、ＤＤＰファイルセットまたはＶＯＢ、ＩＦＯ、ＢＵＰファイルを含むＶＩＤＥＯ＿ＴＳディレクトリーをコピー防止装置へ提供する。オーサリングされたデータは、いかなるナビゲーションパス上にも無い少なくとも１つのセクタデータ（すなわち、図４のセルｘ  １００４などのいかなる論理セルによっても指示されない少なくとも１つの物理セルを有するセクタ）を含む。当然ながら、オーサリング部が別個の装置である場合、ユーザはそれ自身のユーザインターフェースを介しオーサリング部とインターフェースすることになる。
【００５８】
図６に、１セクタまたはフレームのデータに対してコピー防止装置２によって実行される操作を示す。図６のＳ１では、オーサリング部１５から１セクタのデータを受信する（図８のＴ１）。Ｓ２では、データ識別データ供給部１７は、４バイトのセクタ識別子（ＩＤ）を提供し、ＩＤ誤りデータ生成器１８は、２バイトの誤りデータ（ＩＥＤ）を生成する。著作権管理データ供給部１９は、ユーザインターフェース１３を介したユーザ入力および／またはオーサリングされたユーザデータファイルに含まれるデータに基づいて著作権管理データ（ＣＰＲ＿ＭＡＩ）を提供する。これらの処理は任意の適切な順序で行なわれてもよい。
【００５９】
Ｓ４では、誤り検出符号修正器２２は、コントローラ１２によってデータフレーム生成器制御装置２１に提供された情報に基づき、誤り検出符号が、例えば修正または変造により対応するデータと不一致となるようにされるか否か（すなわち、このセクタは、いかなる論理セルによっても指示されなく、したがって破壊的データを提供するために使用されてよい物理セル（図４のセルｘ  １００４など）を含むか否か）を判断する。答えが「ＮＯ」の場合、Ｓ５で、誤り検出符号生成器２０は、対応するＤＶＤ規格に記載の多項式を使用する従来のやり方でセクタの誤り検出符号を生成する。しかしながら、Ｓ４における答えが「ＹＥＳ」である場合、Ｓ６で、誤り検出符号修正器２２は、誤り検出符号生成器によって生成された誤り検出符号を、関連データとしてあるべきものでなくなる（すなわち、関連データと一致しなくなる）ように修正または変造させる。誤り検出符号は変造されてもよいし、あるいは誤り検出符号生成器２０に、誤り検出符号を生成するために適切な規格に記載のものとは異なる技術を使用させることにより（例えば、誤り検出符号生成器２０に、誤り検出符号を生成するために規格に記載のものとは異なる多項式を使用させることによって、あるいは無作為に選択された正しくない値で置換することによって）修正されてもよい。
【００６０】
こうして、データフレーム生成器５により生成された各データフレームまたはセクタは、（図８にＴ２として示すように）データＩＤ、ＩＤ誤りデータＩＥＤ、著作権管理データＣＰＲ＿ＭＡＩ、２０４８バイトのユーザデータ、および誤り検出符号ＥＤＣを有し、この誤り検出符号は任意の破壊的セクタについては修正または変造される。データフレーム生成器５は、データフレームまたはセクタを列状に配置する（ＤＶＤビデオ規格の場合、１７２バイト×１２行）。
【００６１】
Ｓ７では、ユーザデータスクランブラ６は、図８のＴ３で示すように各生成データフレームのすべての記録セクタデータ（すなわち２０６４バイトすべて）をスクランブルする。
【００６２】
Ｓ８では、誤り訂正符号（ＥＣＣ）ブロック生成器のフレーム受信部２５は、所定数（ＤＶＤビデオ規格の場合１６）のスクランブルフレームを誤り訂正符号ブロック（ＤＶＤ規格の場合は各ブロックは１７２バイト×１９２行を有する）に整理する。
【００６３】
Ｓ９では、内パリティ符号供給部２６は、各行毎に１０バイトの内パリティリードソロモン符号を計算し、これを誤り訂正符号ブロック（ＥＣＣブロック）の対応行の右端に追加する。次に、Ｓ１０では、外パリティ符号供給部２７は、そのブロックの１６バイトの外パリティリードソロモン符号（内パリティ符号を含む）を計算し、誤り訂正符号（ＥＣＣ）ブロックの行の配列へ１６の新しい行を追加して行の合計数を２０８にする。Ｓ１１では、記録フレーム生成器８は、ＥＣＣ生成器７により提供された各ＥＣＣブロックのデータおよびパリティ行をインターリーブする（図８のＴ５）。Ｓ１２では、記録フレーム生成器８は、インターリーブされたＥＣＣブロックを、それぞれが所定数（ＤＶＤ規格の場合１２）のデータ行と１行の外パリティ符号（図８のＴ６）からなる記録セクタまたはフレームに分解する。
【００６４】
図６のＳ１２では、符号判定部２８は、符号テーブル２９ａ（ＥＦＭプラス変調）により記録セクタの各８ビットバイトを１６ビットのバイトで置換する。同期符号加算器２８ｂは各記録フレームを２等分し、各半分の記録フレームに同期符号テーブル２９ｂから選択された同期符号を与える。１６ビットのバイト符号および同期符号は、２つの「１」の間に２〜１０の「０」が存在し、かつ累積デジタルサム値（ＤＳＶ）の絶対値を最小化するようにＤＶＤ規格に従って選択される（図８のＴ７）。
【００６５】
Ｓ１３では、ＮＲＺＩ（non-return to zero inverted）変換器１０は、１６ビット符号ワードまたはバイトをチャネルビット（遷移が「１」により表され、遷移無しが「０」で表される）に変換し、このチャネル符号データは出力データ供給部１１に供給される。
【００６６】
図６に示す処理がすべてのセクタまたはフレームについて終了すると、すべてのセクタのチャネル符号データを含む結果物としての画像ファイル（図８のＴ８）は、出力データ供給部１１により格納されるか、あるいはＤＶＤライター３へ出力されるか、あるいはＤＶＤ製造部４へ供給するためにＤＬＴ上に格納される。
【００６７】
図７に、ＤＶＤ上へのイメージデータファイルの記録について説明するフローチャートを示す。
【００６８】
Ｓ２０では、コントローラ１２は、ＤＶＤライター３によるローカル記録を実行するためにユーザインターフェースを介しユーザが命令を入力したかどうかを判断する。答えが「ＹＥＳ」である場合、コントローラ１２は、ＤＶＤライター３による記録が望まれていると判断し、Ｓ２１において、出力データ供給部１１に、書き込み可能なＤＶＤディスク上に通常のやり方で画像ファイルを書き込むローカルの記録装置１２へ画像ファイルを供給させる。しかしながら、Ｓ２０における答えが「ＮＯ」の場合、コントローラは、出力データ供給部１１に、画像ファイルをデジタルリニアテープ上へ記録させる。Ｓ２２で、デジタルリニアテープは、画像ファイルを保持するガラスマスターを作成するマスタ作成部４ａにより使用される。次にＳ２３では、スタンピングマスタ作成部４ｂはスタンピングマスタを作成し、Ｓ２４では、ＤＶＤ作成部４ｃはこのスタンピングマスタから最終のＤＶＤディスク（図８のＴ９）を作成する。
【００６９】
上述のように、破壊的データは、対応するセクタのデータと一致しないように、いかなるナビゲーションパス上にも無いセクタの誤り検出符号の作成を制御することにより作成される（すなわち、そうでなければそのセクタに対して作成されていたであろう誤り検出符号と比較して、修正または変造される）。但し、破壊的データは、以下のパラメータ：１）物理的試験装置により照合されないパラメータ；２）合法の再生装置により追随されることになる任意のナビゲーション経路の一部でない記録済み媒体のセクタまたはエリアに関係するパラメータ；３）ファイル毎またはセクタ毎のリッパーなどの不正コピー装置により照合されることになるパラメータ、の任意のものを修正または変造することにより作成されてもよい。
【００７０】
上記実施形態において記録媒体はＤＶＤである。記録媒体は、当然ながら光ディスクが適切な規格に準拠するように上記の作成工程に任意の適切な修正を加えた別の形式の光ディスクであってよい。当然ながら、本発明は、そのコンテンツデータが、記録媒体（例えば、磁気または光磁気記録ディスクと、可能性としてリードライトヘッドに対して回転されるのではなく通った経路に沿って運ばれるデジタルリニアテープなどの他のデジタル記録メディアなど）により格納されたナビゲーションデータを用いる非順次的なやり方でアクセスされ得る他の形式のデジタル記録メディアに適用されてもよいし、あるいは、コンテンツデータが、記録媒体により格納されたナビゲーションデータを用いる非順次的なやり方でアクセスされ得る他の形式の記録媒体に適用されてもよいということが理解される。記録媒体はエンドユーザに供給される製品の前駆体であってもよく、例えば光ディスクの場合には記録媒体はデジタルリニアテープ、ガラスマスター、またはスタンピングマスタであってもよい。
【図１】
2010521762.tif 000003
【図２】
2010521762.tif 000004
【図３】
2010521762.tif 000005
【図４】
2010521762.tif 000006
【図５】
2010521762.tif 000007
【図６】
2010521762.tif 000008
【図７】
2010521762.tif 000009
【図８】
2010521762.tif 000010
【国際調査報告】
2010521762.tif 000011
2010521762.tif 000012
2010521762.tif 000013